(57)【特許請求の範囲】
【請求項１】
基礎面から複数の下段支持脚により所定高さに下段床材を支持し、前記複数の下段支持脚のそれぞれの下端部に弾性材料からなる下段緩衝材を設けた下段床構造と、
前記下段床材の上面から複数の上段支持脚により所定高さに上段床材を支持し、前記複数の上段支持脚のそれぞれの下端部に弾性材料からなる上段緩衝材を設けた上段床構造とを備える三重床構造であって、
前記上段緩衝材を形成する弾性材料は、前記下段緩衝材を形成する弾性材料と比較してゴム硬度が高い弾性材料であり、
前記基礎面に配置されている前記上段支持脚の位置と前記下段床材に配置されている前記下段支持脚の位置とが、鉛直方向から見てずらされていることを特徴とする三重床構造。
【請求項２】
前記上段緩衝材の鉛直方向寸法が、前記下段緩衝材の鉛直方向寸法よりも小さく形成されていることを特徴とする請求項１記載の三重床構造。
【発明の詳細な説明】
【技術分野】
【０００１】
本発明は、三重床の遮音性床構造に関し、さらに詳しくは、集合住宅等の各種建物において既存の基礎床面との間に空間を形成して三重床を構築する乾式置床工法による遮音性床構造に関する。
【背景技術】
【０００２】
従来、集合住宅等の各種建物における遮音性能の高い床構造として、例えば図６に記載の二重床４０が知られている（特許文献１参照）。
図６に示す二重床４０は、床基盤４１の上に、床基盤４１に接する防振ゴム４２と該防振ゴム４２上に立設する脚部４３とからなる二重床支持脚４４を介して、床板材４５を載設している。そして、防振ゴム４２は、その周囲に変形抑制材４６を防振ゴム４２に接して配置する構造を有している。
【０００３】
このような二重床４０によれば、床板材４５への衝撃加振時において、かかる衝撃振動は、脚部４３を介して防振ゴム４２に伝達する。そして、防振ゴム４２は、伝達した衝撃振動により一旦圧縮変形した後、弾力によって原形に復するようにはね返る。この場合において、二重床４０によれば、防振ゴム４２の周囲に配置された変形抑制材４６により、振動及び音の伝播を小さく抑えつつ、床の沈み込を小さく抑えることが可能となる。
【特許文献１】特開２００３−２６８９６２号公報
【発明の開示】
【発明が解決しようとする課題】
【０００４】
しかしながら、この種の二重床４０においては以下のような問題がある。
即ち、集合住宅等の各種建物においては、遮音性対策のため一般的に二重床が採用されている。一方、建物に設置されるユニットバス、キッチン等は、その重量が大きいため二重床上に設置することは行われず、建物の基礎面に直接設置されるとともに、二重床の床面とユニットバスの入口等とがバリアフリーとなるように底上げがなされて規格化されている。
【０００５】
ここで、近年の集合住宅においては、住戸購入者による各住戸の購入後、住戸購入者の希望に合わせて各住戸における間取り等のプランを変更可能に企画されていることが多くなってきている。そして、かかる場合、上下層階の住戸間において間取りが異なることとなり、上層階の住戸において設置されているユニットバス等の真下に、下層階の住戸において寝室等が配置される場合もある。
【０００６】
したがって、集合住宅において二重床４０を採用すると、ユニットバス等を建物の基礎面に直接設置することとなるため、ユニットバス等における衝撃音が下層階又は隣接住戸に伝達され、騒音問題が生じてしまうという問題がある。
また、集合住宅において二重床４０を採用して、ユニットバス等を建物の基礎面に直接設置する場合、住戸購入者による各住戸の購入後の間取りの変更に迅速に対応できないとともに、後にリフォームを行う場合に、間取りの変更が困難となってしまうという問題がある。
【０００７】
本発明は上記した従来技術の問題を解決するためになされたものであり、その目的は、ユニットバス、キッチン等、下層階又は隣接住戸に衝撃音を伝達する可能性のある設備を二重床上に設置することで、ユニットバス等における衝撃音が下層階又は隣接住戸に伝達されることを防止するとともに、間取りの変更に迅速かつ容易に対応することが可能な三重床を提供することにある。
【課題を解決するための手段】
【０００８】
本発明のうち請求項１に係る三重床構造は、基礎面から複数の下段支持脚により所定高さに下段床材を支持し、前記複数の下段支持脚のそれぞれの下端部に弾性材料からなる下段緩衝材を設けた下段床構造と、前記下段床材の上面から複数の上段支持脚により所定高さに上段床材を支持し、前記複数の上段支持脚のそれぞれの下端部に弾性材料からなる上段緩衝材を設けた上段床構造とを備える三重床構造であって、前記上段緩衝材を形成する弾性材料は、前記下段緩衝材を形成する弾性材料と比較してゴム硬度が高い弾性材料であり、前記基礎面に配置されている前記上段支持脚の位置と前記下段床材に配置されている前記下段支持脚の位置とが、鉛直方向から見てずらされていることを特徴とする。
【０００９】
また、本発明のうち請求項２に係る三重床構造は、請求項１記載の三重床構造において、前記上段緩衝材の鉛直方向寸法が、前記下段緩衝材の鉛直方向寸法よりも小さく形成されていることを特徴とする。
【発明の効果】
【００１０】
本願請求項１、２に係る三重床構造によれば、建物において、ユニットバス、キッチン等、下層階又は隣接住戸に衝撃音を伝達する可能性のある設備を下段床構造上に設置することでユニットバス等の設備における衝撃音が下層階に伝達することを防止することが可能となるとともに、上段床材の高さを調整することで、床面と底上げがなされて規格化されたユニットバス等の設備とのバリアフリーを容易に達成することが可能となる。また、建物内において下段床構造を一様に設置し、この下段床構造上に各構造物を設置することで、リフォーム等における間取りの変更に迅速かつ容易に対応することが可能となる。
【発明を実施するための最良の形態】
【００１１】
以下、本発明の第一実施形態に係る三重床構造を図面を参照して説明する。
図１は本発明の実施形態に係る三重床構造の概略部分断面側面図である。図２は三重床構造に備えられる緩衝材、支持脚及び床材の概略縦断面図である。図３は下段支持脚及び上段支持脚の配置形態の一例を示す概略部分平面図である。
三重床構造１は、図１に示すように、集合住宅等の各種建物において設置され、コンクリートスラブ等の基礎面２上に設置される下段床構造３と、下段床構造３上に設置される上段床構造４とを備えている。
【００１２】
下段床構造３は、図２に示すように、基礎面２上に設置される下段緩衝材５と、下段緩衝材５に立設される下段支持脚６と、下段支持脚６に支持される下段床材７とを備えている。
下段緩衝材５は、略円筒状のゴム等の弾性材料からなり、下段緩衝材５の鉛直方向から見た中央部の略上半部には中央穴部１１が形成されている。また、中央穴部１１の側部内周面には、環状溝状の凹部１２が形成されているとともに、中央穴部１１の内周面には、中央穴部１１の底面１３から側面にかけて十文字状の溝部１４が形成されている。また、下段緩衝材５の下面には、対称的に４個の略半球状の突起１５が形成されている。かかる突起１５を形成することにより、基礎面２との接地面積が小さくなり、下段支持脚６を介して受けた荷重が分散し、適度の弾性（沈み込み）を示すことにより、床衝撃音、特に重量床衝撃音の低減効果が得られる。ここで、各突起１５の高さは２〜４ｍｍ程度が好ましく、また全ての突起１５は同一高さとすることが好ましい。そして、下段緩衝材５は、基礎面２上において、所定間隔で接着等により固定されて設置される。
【００１３】
下段支持脚６は、下段緩衝材５に回動自在に立設された中空支持ボルト２０と、中空支持ボルト２０の上端部が嵌挿されるレベル調整用ナット２１と、レベル調整用ナット２１の上端部に支持される支持板２２とを備えている。
中空支持ボルト２０は、中央貫通孔を有する比較的短い中空パイプから形成されている。そして、中空支持ボルト２０は、下端部には側方に膨出する環状の突出部２５が座屈成形され、上端部外周面には上端から所定長さだけネジ部２３が形成されている。さらに、中空支持ボルト２０の先端面には、ドライバー、電動ドライバー等の回転用工具の先端を係合させるための係止部を構成する溝状の係合部２４が形成されている。そして、中空支持ボルト２０は、その下端部が下段緩衝材５の中央穴部１１に嵌挿され、突出部２５が下段緩衝材５の凹部１２に係合されることで、下段緩衝材５の中央穴部１１の底面１３において回動自在に支持された状態で立設される。
【００１４】
レベル調整用ナット２１は、中空支持ボルト２０を嵌挿可能な中央貫通孔を有する比較的短い中空パイプから形成されている。そして、レベル調整用ナット２１の下端部内周面には下端から所定長さだけ、中空支持ボルト２０のネジ部２３に適合するネジ溝部２６が形成されている。また、レベル調整用ナット２１の外周面の鉛直方向略中央部には、環状の支持部２７が突設されている。そして、レベル調整用ナット２１は、ネジ溝部２６に中空支持ボルト２０のネジ部２３上端部を嵌挿することによって設置される。
【００１５】
支持板２２は、パーティクルボード、積層合板、木質繊維板等を略方形の平板状に形成したものである。また、支持板２２は、略中央部にレベル調整用ナット２１の上部が嵌合される挿入孔２８が設けられるとともに、挿入孔２８の上端部は面取りされて上方に向けて拡開された面取り部２９が形成されている。そして、支持板２２は、挿入孔２８にレベル調整用ナット２１の上端部が嵌合されるとともに、レベル調整用ナット２１の上端部を拡開し、挿入孔２８の面取り部２９に部分的に埋没させることにより設置されるとともに、レベル調整用ナット２１の上部には接着剤溜り３０が形成される。
【００１６】
下段床材７は、パーティクルボード、ハードボード、高密度繊維板、合板、制振シート等の板により形成されており、支持板２２の上面に接着剤、釘等により固定されて支持される。なお、下段床材７は、パーティクルボード、ハードボード、高密度繊維板、合板又は制振シートを必要に応じて２層以上、あるいはこれらを組み合わせて敷設してもよく、図１においては、下地板３１と仕上げ材３２とを備えて、３層に形成されている。
【００１７】
そして、上記のようにして構成された下段床構造３は、中空支持ボルト２０の頂端面に形成された係合部２４にドライバー等の回転用工具の先端を嵌め込んで回転させることにより、レベル調整用ナット２１及び支持板２２が上下動し、支持板２２により支持されている下段床材７の床面レベルを調整することが可能となっている。
上段床構造４は、下段床構造３と同様に、下段床構造３の下段床材７上に設置される上段緩衝材３４と、上段緩衝材３４に立設される上段支持脚３５と、上段支持脚３５に支持される上段床材３６とを備えている。
【００１８】
上段緩衝材３４の基本的構成は下段緩衝材５と同一である。ただし、上段緩衝材３４は、下段緩衝材５に対してばね定数の大きい材料により形成され、且つ鉛直方向寸法が小さく形成されている。ここで、本実施形態においては、上段緩衝材３４は、ゴム硬度がＨｓ＝８３°、鉛直方向寸法が９．４ｍｍに形成されているのに対して、下段緩衝材５は、ゴム硬度がＨｓ＝６５°、鉛直方向寸法が３３．３ｍｍに形成されている。
【００１９】
上段支持脚３５の基本的構成は下段支持脚６と同一である。ただし、上段支持脚３５は、下段支持脚６に対して中空支持ボルト２０及びレベル調整用ナット２１の鉛直方向寸法が大きく形成されている。
上段床材３６は、パーティクルボード、ハードボード、高密度繊維板、合板、制振シート等の下地板３１により床下地が形成され、この下地板３１の上にフローリング材等の仕上げ材３２が設置される。なお、上段床材３６の下地板３１は、パーティクルボード、ハードボード、高密度繊維板、合板又は制振シートは必要に応じて２層以上、あるいはこれらを組み合わせて敷設してもよく、図１においては、下地板３１と仕上げ材３２とを備えて、２層に形成されている。
【００２０】
そして、上記のようにして構成された上段床構造４は、下段床構造３と同様に、中空支持ボルト２０の頂端面に形成された係合部２４にドライバー等の回転用工具の先端を嵌め込んで回転させることにより、レベル調整用ナット２１及び支持板２２が上下動し、支持板２２により支持されている上段床材３６の床面レベルを下段床構造３上において調整することが可能となる。
【００２１】
次に三重床構造１の設置形態例を説明する。
三重床構造１の設置においては、まず、建物の構造壁（又は乾式の界壁）３７に囲まれたスペースにおける基礎面２上に、下段床構造３を一様に設置する。
これには、まず、基礎面２上に、下段床材７の下地板３１の形状に対応した所定のピッチで下段緩衝材５及び下段支持脚６を複数設置し、各下段支持脚６上に下段床材７の下地板３１の縁部を支持させた状態で設置する。この場合において、先に下地板３１の下面に下段緩衝材５及び下段支持脚６を取り付け、かかる下地板３１を基礎面２上に設置する構成でも構わない。下段支持脚６と下地板３１との固定は、下段支持脚６の支持板２２上面に貼着した粘着シート等を介して行われる。
【００２２】
そして、下段支持脚６の支持板２２の接着剤溜り３０は、下地板３１の縁部から露出した状態とし、上方からドライバー等により中空支持ボルト２０を回し、下地板３１のレベルを調節する。
さらに、隣合う下段床材７の下地板３１も同様に、既に設置した下段支持脚６上に、下地板３１のレベル調整ができる所定の間隙を開けて載せ、下段支持脚６上に固定していく。
【００２３】
このような作業を下段床材７の下地板３１ごと繰り返し、下地板３１を構造壁３７に囲まれたスペースにおいて一様に施工し、床面レベルを調整した後、隣接する下地板３１間の間隙部に露出する下段支持脚６の接着剤溜り３０に接着剤を注入する。ここで、下段支持脚６の中空支持ボルト２０の中央貫通孔と下段緩衝材５の中央穴部１１とは連通しているため、下地板３１の敷設及び床面レベルの調整を行った後、レベル調整用ナット２１の上部に形成された接着剤溜り３０から接着剤を注入すると、接着剤はレベル調整用ナット２１と中空支持ボルト２０との間の螺合部に浸透し、かつ下地板３１と支持板２２との間の隙間にも拡散・浸透してこれらの間を接着・固定するだけでなく、中空支持ボルト２０の下端と下段緩衝材５との間も接着・固定する。
【００２４】
そして、下段床材７の下地板３１を構造壁３７に囲まれたスペースにおいて一様に施工し、床面レベルを調整した後、かかる下地板３１の上面において一様に、積層する仕上げ材３２を載置し、釘等で固定することで下段床構造３は設置される。
ここで、下段床材７の下地板３１の配置形態は、千鳥状に配列、平行に配列等適宜変更可能である。
【００２５】
このように、まず、構造壁３７に囲まれたスペースの基礎面２上において下段床構造３を一様に設置することで、下段床構造３により構造壁３７に囲まれたスペースにおける遮音性能を一様に担保することが可能となる。
次に、構造壁３７に囲まれたスペースの基礎面２上において一様に設置された下段床構造３上において、間仕切り壁３８及び上段床構造４を適宜設置する。
上段床構造４は、下段床構造３上において、間取り等に合わせて間仕切壁３８を適宜設置した後、間仕切壁３８に囲まれた各スペースにおいて設置される。なお、上段床構造４上においても間仕切壁３８が設置される場合もある。
【００２６】
上段床構造４の設置は、下段床構造３の設置と同様に行なわれ、下段床構造３の下段床材７上に、上段床材３６の下地板３１の形状に対応した所定のピッチで上段緩衝材３４及び上段支持脚３５を複数設置し、各上段支持脚３５上に上段床材３６の下地板３１の縁部を片持たせの状態で設置する。ここで、下段床材７上に配置される上段緩衝材３４及び上段支持脚３５の位置は、図３に示すように、下段床材７上の上段緩衝材３４及び上段支持脚３５の位置と基礎面２上の下段緩衝材５及び下段支持脚６の位置とが、鉛直方向から見てずらされた位置に配置される。そして、上段床材３６の下地板３１を施工後、その下地板３１の上面において、積層する板材又はフローリング等の仕上げ材３２を載置し、釘等で固定することで上段床構造４は設置される。かかる構成により、三重床構造１の遮音性能をより一層高めることが可能となる。
【００２７】
また、建物内にユニットバス、キッチン等（図示せず）を設置する場合においては、下段床構造３上にユニットバス等を設置するとともに、上段床構造４を設置して、上段床構造４の上段床材３６の鉛直方向位置をユニットバスの入口の高さに調整する。
このように、三重床構造１によれば、建物において、ユニットバス、キッチン等、下層階又は隣接住戸に衝撃音を伝達する可能性のある設備を下段床構造３上に設置することで、ユニットバス等の設備における衝撃音が下層階に伝達することを防止することが可能となる。また、一様に設置された下段床構造３上に各構造物を設置することで、リフォーム等における間取りの変更に迅速かつ容易に対応することが可能となる。さらに、底上げがなされて規格化されたユニットバス等の設備を下段床構造３上に設置しても、上段床構造４の高さを調整することで床面とユニットバス等の設備とのバリアフリーを容易に達成することが可能となる。
【００２８】
ここで、三重床構造１においては、下段床構造３の下段緩衝材５は、床の遮音性能を確保することが可能なばね定数の小さい材料により形成され、且つ鉛直方向寸法が大きく形成されているため、下段床構造３が設置された構造壁３７に囲まれたスペース内において床の遮音性能を一様に担保することが可能となる。一方、下段緩衝材５を床の遮音性能を確保することが可能なばね定数の小さい材料により形成すると、下段床構造３の床面が柔らかくなってしまい、歩行感が悪くなる等居住性が低下してしまうことが考えられる。しかしながら、本出願人は研究の結果、三重床構造１上を人間が歩行する場合、歩行時の床面に対する荷重は、荷重時間が短いため、主として上段緩衝材３４に作用し、人間は上段床構造４の硬さを感じとることを知得した。そこで、三重床構造１においては、下段床構造３上に上段床構造４を設置するとともに、上段緩衝材３４を、下段緩衝材５に対してばね定数の大きい材料により形成し、且つ鉛直方向寸法を小さく形成することで、床としての遮音性能を担保しつつ、良好な居住感を得られる床構造を達成することを可能としている。
【００２９】
以上、本発明の実施形態について説明したが、本発明の実施形態においては、種々の変更を行うことが可能である。
例えば、上記実施形態では、下段支持脚６及び上段支持脚３５において中空支持ボルト２０が備えられているが、中空支持ボルト２０の代わりに中実支持ボルト（図示せず）を備える構成としても構わない。
この場合、中実支持ボルトの基本構成は、中空支持ボルト２０と同一であるが、中空支持ボルト２０は中央貫通孔を有する中空パイプから形成されているのに対して、中実支持ボルトは中央貫通孔を有さずに円柱状に形成されている。
【００３０】
そして、かかる中実支持ボルトを備えた下段支持脚６及び上段支持脚３５により下段床構造３及び上段床構造４を設置する場合においても、下地板３１を一様に施工し、床面レベルを調整した後、隣接する下地板３１間の間隙部に露出する下段支持脚６又は上段支持脚３５の接着剤溜り３０に接着剤が注入される。かかる場合において、中実支持ボルトは中央貫通孔を有していないため、レベル調整用ナット２１の上部に形成された接着剤溜り３０から注入された接着剤は、レベル調整用ナット２１と中実支持ボルトとの間の螺合部及び下地板３１と支持板２２との間の隙間のみを接着・固定することとなる。
【実施例】
【００３１】
次に、三重床構造１についての床衝撃音レベルの試験例を示して本発明の効果について具体的に説明する。
なお、以下の試験例において、床衝撃音レベルの測定方法及び評価は、ＪＩＳＡ１４１８―１，２（建築物の現場における床衝撃音レベルの測定方法）の規定に準じて行った。なお、受音室マイクロホンの高さは１２００ｍｍとした。
試験項目：
（１）軽量床衝撃音遮断性能（衝撃源：タッピングマシン）
（２）重量床衝撃音遮断性能（衝撃源：バングマシン）
【００３２】
測定方法：
床衝撃音発生器としては、軽量床衝撃音発生器（タッピングマシン）及び重量床衝撃音発生器（バングマシン）の２種類を用い、５箇所打撃し、発生した床衝撃音は階下の受音室内に設置されたマイクロホンで受音し、受音装置の指示騒音計で受音し、それをオクターブバンド分析器により、１／１オクターブバンドの各周波数帯域ごとに、その音圧レベルを記録した。その周波数帯域は、軽量床衝撃音遮断性能試験で、１２５Ｈｚ、２５０Ｈｚ、５００Ｈｚ、１，０００Ｈｚ（１ｋＨｚ）、２，０００Ｈｚ（２ｋＨｚ）、重量床衝撃音遮断性能試験で、３１．５Ｈｚ、６３Ｈｚ、１２５Ｈｚ、２５０Ｈｚ、５００Ｈｚであり、数字が大きくなるほど高い音であることを表す。
【００３３】
試験体：
図４は試験体Ａの概略部分断面側面図である。図５は試験体Ｂの概略部分断面側面図である。
試験体Ａは、比較例に係る二重床構造であり、下段床構造３のみにより構成されている。
万協フロアーＹＰＭＣＢタイプ（支持脚間隔３００ｍｍ×３００ｍｍ）、床高８８ｍｍ（床板構成：パーティクルボード２５ｍｍ＋床良しボード７ｍｍ＋合板１２ｍｍ）。
試験体Ｂは本発明に係る三重床構造であり、下段床構造３及び上段床構造４により構成されている。
【００３４】
下段床構造３：万協フロアーＹＰＭＣＢタイプ（支持脚間隔３００ｍｍ×３００ｍｍ）、床高８８ｍｍ（床板構成：パーティクルボード２５ｍｍ＋床良しボード７ｍｍ＋合板１２ｍｍ）。
上段床構造４：万協フロアーＷＰタイプ（支持脚間隔４５５ｍｍ×６００ｍｍ）、床高２００ｍｍ（床板構成：パーティクルボード２０ｍｍ＋フローリング１２ｍｍ）。
軽量床衝撃音遮断性能試験の測定結果を表１に示す。また、重量床衝撃音遮断性能試験の測定結果を表２に示す。
【００３５】
【表１】
0004712602.tif 000002
【００３６】
【表２】
0004712602.tif 000003
【００３７】
表１及び２に示される結果から明らかなように、下段床構造３及び上段床構造４からなる本発明に係る三重床１は、下段床構造３のみからなる比較例に係る二重床と比較して、床衝撃音遮断性能が優れている。
【図面の簡単な説明】
【００３８】
【図１】本発明の実施形態に係る三重床構造の概略部分断面側面図である。
【図２】三重床構造に備えられる緩衝材、支持脚及び床材の概略縦断面図である。
【図３】下段支持脚及び上段支持脚の配置形態の一例を示す概略部分平面図である。
【図４】試験体Ａの概略部分断面側面図である。
【図５】試験体Ｂの概略部分断面側面図である。
【図６】特許文献１に係る二重床構造の概略部分断面側面図である。
【符号の説明】
【００３９】
１  三重床構造
２  基礎面
３  下段床構造
４  上段床構造
５  下段緩衝材
６  下段支持脚
７  下段床材
１１  中央穴部
１２  凹部
１３  底面
１４  溝部
１５  突起
２０  中空支持ボルト
２１  レベル調整用ナット
２２  支持板
２３  ネジ部
２４  係合部
２５  突出部
２６  ネジ溝部
２７  支持部
２８  挿入孔
２９  面取り部
３０  接着剤溜り
３１  下地板
３２  仕上げ材
３４  上段緩衝材
３５  上段支持脚
３６  上段床材
３７  構造壁
３８  間仕切壁
４０  二重床
４１  床基盤
４２  防振ゴム
４３  脚部
４４  二重床支持脚
４５  床板材
４６  変形抑制材
【図１】
0004712602.tif 000004
【図２】
0004712602.tif 000005
【図３】
0004712602.tif 000006
【図４】
0004712602.tif 000007
【図５】
0004712602.tif 000008
【図６】
0004712602.tif 000009